(57)【要約】【課題】長期使用による点検完了後に、以降の運転において再度点検ランプが点灯することのない食器洗い機を提供する。【解決手段】記憶手段２３に記憶された運転の経過状態に係る情報から、所定値以上の運転が経過していると判断したとき、表示手段７により長期使用による点検が必要であることを知らせる食器洗い機において、制御手段２１は、所定値以上の運転が経過したことに伴う長期使用による点検が終了したことを記憶手段２３に記憶させるステップ（ステップＳ６３）を有する点検運転を備え、長期使用による点検が終了したあとは、運転の経過状態にかかわらず、再度、長期使用による点検が必要であることを知らせる表示を行わないようにした食器洗い機。【選択図】図５
2014111214.tif 000002
【特許請求の範囲】
【請求項１】
被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報を記憶するとともに情報を読み出し及び書き込み可能な記憶手段とを備え、前記制御手段は、前記記憶手段に記憶された運転の経過状態に係る情報から、所定値以上の運転が経過していると判断したとき、前記表示手段により食器洗い機の長期使用による点検が必要であることを知らせる食器洗い機において、
前記制御手段は、前記所定値以上の運転が経過したことに伴う長期使用による点検が終了したことを前記記憶手段に記憶させるステップを有する点検運転を備え、前記長期使用による点検が終了したあとは、運転の経過状態にかかわらず、再度、前記長期使用による点検が必要であることを知らせる表示を行わないようにした食器洗い機。
【請求項２】
前記記憶手段に記憶される運転の経過状態に係る情報は、前記所定値と比較した結果に対応させて、少なくとも２値を選択的に設定可能とした運転フラグを有する請求項１記載の食器洗い機。
【請求項３】
前記制御手段は、前記記憶手段に記憶される運転の経過状態に係る情報と前記所定値とを比較した結果に対応させて、少なくとも２値を選択的に設定可能とした運転フラグを選択設定するスイッチを有し、前記点検運転において、前記所定値以上の運転が経過したことに伴う長期使用による点検が終了したことを前記記憶手段に記憶させるステップに代えて、前記所定値以上の運転が経過したことに伴う長期使用による点検が終了したことを前記スイッチで設定するステップを有する請求項１記載の食器洗い機。
【請求項４】
前記制御手段は、前記記憶手段に記憶された運転の経過状態に係る情報を表示するステップにより、前記長期使用による点検が終了しているか否かが分かるようにする請求項１から３のいずれか１項記載の食器洗い機。
【請求項５】
前記制御手段は、使用者による通常運転時において、前記所定値以上の運転が経過した場合、前記運転フラグの設定に応じて、前記表示手段による前記長期使用による点検が必要であることの表示、非表示を異ならしめる構成とした請求項２から４のいずれか１項記載の食器洗い機。
【請求項６】
前記制御手段は、前記記憶手段が点検修理時において交換された場合、元の記憶手段に記憶された運転の経過状態に係る情報を新たな記憶手段に引き継ぐとともに、その運転の経過状態に係る情報に応じて、前記運転フラグの設定を変更することが可能な構成とした請求項２から５のいずれか１項記載の食器洗い機。
【発明の詳細な説明】
【技術分野】
【０００１】
本発明は食器等の被洗浄物を洗浄水を用いて洗浄する食器洗い機に関するものである。
【背景技術】
【０００２】
一般的に、食器洗い機では、長期間の使用により、ヒータによる加熱、洗剤、被洗浄物から洗い流される油などの影響により、温度的、化学的に部品の劣化が進むため、所定の運転積算時間などにおいて、修理・点検作業者による点検を行うことが望ましい。
【０００３】
一方では、信頼性や安全性が要求される電気機器では、記憶手段であるメモリを用いて、カウントした運転時間をメモリへ記憶し、運転積算時間などが所定値以上となったら、自動的に警告や表示を行うことによって、点検時期を使用者に知らせ、予防的なメンテナンスを促す技術がある（例えば、特許文献１参照）。
【０００４】
これによれば、食器洗い機において、所定の運転積算時間などを検知することで、点検時期を使用者へ警告、表示することが可能となる。また、所定の運転積算時間以下において、故障や修理によりメモリが交換される際には、修理・点検作業者などが、外部からの操作により運転積算時間などをメモリから読み出し、新しいメモリへその情報を書き込むことで、交換前の運転積算時間などを引き継ぐことは当然可能である。
【先行技術文献】
【特許文献】
【０００５】
【特許文献１】特許第２６６６３６３号公報
【発明の概要】
【発明が解決しようとする課題】
【０００６】
しかしながら、このような従来の技術では、所定の運転積算時間などに達したとき、使用者に点検時期を警告、表示し、修理・点検作業者が点検を行うが、このとき、運転積算時間がクリアされる（０にする）ことにより、点検の表示を解除することになるが、使用者は点検終了後も、食器洗い機を使用し続けることになるので、再び、所定の積算時間に達すると、使用者に点検のための警告、表示をしてしまうことになる。点検表示がなされると、点検可能であると判断するが、すでに信頼性や安全性を確保できる使用期間を、超えているため、信頼性や安全性を保障することが難しい。このことは、使用者に誤解を与えることになる。現実問題として、修理の必要性があっても交換する部品が造られていないということもある。このように、使用者に対して誤解を与えるという不具合を有していた。
【０００７】
本発明は、上記従来の課題を解決するもので、長期使用による点検が完了すると、以降の食器洗い機の運転積算時間などによらず、点検表示を行わないようにするもので、再度の点検表示をすることによる使用者への誤解を与えることをなくした食器洗い機を提供することを目的とするものである。
【課題を解決するための手段】
【０００８】
本発明は、上記目的を達成するために、被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報を記憶するとともに情報を読み出し及び書き込み可能な記憶手段とを備え、前記制御手段は、前記記憶手段に記憶された運転の経過状態に係る
情報から、所定値以上の運転が経過していると判断したとき、前記表示手段により食器洗い機の長期使用による点検が必要であることを知らせる食器洗い機において、前記制御手段は、前記所定値以上の運転が経過したことに伴う長期使用による点検が終了したことを前記記憶手段に記憶させるステップを有する点検運転を備え、前記長期使用による点検が終了したあとは、運転の経過状態にかかわらず、再度、前記長期使用による点検が必要であることを知らせる表示を行わないようにした食器洗い機である。これにより、１回目の点検表示を受けての点検後、再び所定の運転積算時間に達しても、２回目以降の点検表示を行わないようにするもので、使用者へ誤解を与えないようにすることができる。
【発明の効果】
【０００９】
本発明の食器洗い機は、１回目の点検表示を受けての点検後、再び所定の運転積算時間に達しても、２回目以降の点検表示を行わないようにするもので、使用者へ誤解を与えないようにすることができる。
【図面の簡単な説明】
【００１０】
【図１】本発明の実施の形態１の食器洗い機の縦断面図
【図２】本発明の実施の形態１の食器洗い機の制御装置のブロック図
【図３】本発明の実施の形態１の食器洗い機の操作手段および表示手段を示す図
【図４】本発明の実施の形態１の食器洗い機の運転動作を示すフローチャート
【図５】本発明の実施の形態１の食器洗い機の修理や点検時のデモ運転動作を示すフローチャート
【発明を実施するための形態】
【００１１】
第１の発明は、被洗浄物を洗浄する食器洗い機であって、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報を記憶するとともに情報を読み出し及び書き込み可能な記憶手段とを備え、前記制御手段は、前記記憶手段に記憶された運転の経過状態に係る情報から、所定値以上の運転が経過していると判断したとき、前記表示手段により食器洗い機の長期使用による点検が必要であることを知らせる食器洗い機において、前記制御手段は、前記所定値以上の運転が経過したことに伴う長期使用による点検が終了したことを前記記憶手段に記憶させるステップを有する点検運転を備え、前記長期使用による点検が終了したあとは、運転の経過状態にかかわらず、再度、前記長期使用による点検が必要であることを知らせる表示を行わないようにした食器洗い機である。これにより、１回目の点検表示を受けての点検後、再び所定の運転積算時間に達しても、２回目以降の点検表示を行わないようにするもので、使用者へ誤解を与えないようにすることができる。
【００１２】
第２の発明は、上記第１の発明において、前記記憶手段に記憶される運転の経過状態に係る情報は、前記所定値と比較した結果に対応させて、少なくとも２値を選択的に設定可能とした運転フラグを有する構成としたことにより、運転積算時間等の実データと合わせてディジタル的な運転フラグで運転の経過状態を判断させることで、制御装置を単純かつ安価に構成でき、確実かつ安定した制御動作を行わせることができる。
【００１３】
第３の発明は、上記第１の発明において、前記制御手段は、前記記憶手段に記憶される運転の経過状態に係る情報と前記所定値とを比較した結果に対応させて、少なくとも２値を選択的に設定可能とした運転フラグを選択設定するスイッチを有し、前記点検運転において、前記所定値以上の運転が経過したことに伴う長期使用による点検が終了したことを前記記憶手段に記憶させるステップに代えて、前記所定値以上の運転が経過したことに伴う長期使用による点検が終了したことを前記スイッチで設定するステップを有するものである。
【００１４】
第４の発明は、上記第１から第３のいずれかの発明において、前記制御手段は、前記記憶手段に記憶された運転の経過状態に係る情報を表示するステップにより、前記長期使用による点検が終了しているか否かが分かるようにするものである。
【００１５】
第５の発明は、上記第２から第４のいずれかの発明において、前記制御手段は、使用者による通常運転時において、前記所定値以上の運転が経過した場合、前記運転フラグの設定に応じて、前記表示手段による前記長期使用による点検が必要であることの表示、非表示を異ならしめる構成としたことにより、修理・点検作業者によって行われる点検終了以降、食器洗い機を使用し続けても、使用者へ余計な誤解を与えないようにすることができる。
【００１６】
第６の発明は、上記第２から第５のいずれかの発明において、前記制御手段は、前記記憶手段が点検修理時において交換された場合、元の記憶手段に記憶された運転の経過状態に係る情報を新たな記憶手段に引き継ぐとともに、その運転の経過状態に係る情報に応じて、前記運転フラグの設定を変更することが可能な構成としたことにより、点検修理において記憶手段が交換された場合でも、それまでの運転の経過状態に応じた適切な運転の経過情報の設定を行うことができる。
【００１７】
以下、本発明の実施の形態について、図面を参照しながら説明する。なお、この実施の形態によって本発明が限定されるものではない。
【００１８】
（実施の形態１）
図１は本発明の実施の形態１における食器洗い機の断面図を示し、システムキッチンに収容された筐体１は、上方に開口部２を有し食器類３を収容し洗浄する洗浄槽４を設けている。洗浄槽４は給水手段５を介して水道配管と接続されており、運転時に洗浄槽４内に水を供給するようにしている。筐体１前面には電源のオン・オフ、運転コースの選択などを行う操作手段６、各状態の表示を行う表示手段７を配設している。
【００１９】
また洗浄槽４は、筐体１の両側面内側に略水平方向に架設されたレール８に沿って前後方向に引き出し自在となっており、洗浄槽４とレール８とをネジ等の手段により固定しており、固定を解除することで洗浄槽４を筐体１から引き出し可能に構成している。
【００２０】
洗浄槽４の内部には食器類３を収容する食器かご９を配置し、食器かご９の下方には洗浄ノズル１０を回転自在に設けており、洗浄槽４内部に洗浄水を加熱するヒータ等の加熱手段１１と洗浄槽４の底部に排水口１２を設けている。また洗浄槽４の外側には洗浄槽４内の温度を検知するサーミスタ等で構成された温度検知手段１３と、前記排水口１２に溜まる洗浄水を前記洗浄ノズル１０に送るモータ１４を具備した洗浄ポンプ１５を配置し、排水口１２に溜まる洗浄水を洗浄ポンプ１５によって循環させ、洗浄ノズル１０より噴射して食器類３を洗浄するよう構成している。
【００２１】
また、筐体１の上方に開口部２を閉塞するための蓋体１６を配置し、前後一対のリンクを含む左右一対の平行リンク機構１７により上下動自在に支持されるとともに、洗浄槽４の開口部２をシールする弾性体のシール部材１８が固定され、洗浄槽４を引き出したとき、シール部材１８が洗浄槽４の前後の移動に干渉しないよう上方に逃がす構成としている。
【００２２】
また、洗浄槽４内の空気を排出する排気口１９（図示しない）と、洗浄槽４内に外気を供給する送風手段２０を備えており、乾燥工程時に洗浄槽４内の湿った空気を排気口１９を通して洗浄槽４外に排出する構成としている。洗浄槽４の前壁部の前面に食器洗い機の
運転を制御する制御装置２４を配設してある。
【００２３】
図２は本発明の実施の形態１における食器洗い機の制御装置のブロック図を示し、制御装置２４は、給水手段５、加熱手段１１、洗浄ポンプ１５等を駆動する負荷駆動手段２２と、運転経過状態に係る情報を記憶するとともに情報を読み出し、書き込みおよび消去が可能な記憶手段２３と、それらと情報を授受して洗浄、すすぎ、乾燥の各工程を逐次制御する制御手段２１とを備え、前記の運転経過状態を評価する情報として、運転積算時間、運転回数もしくは制御装置２４の通電時間のいずれか一つを設定している。以下の説明においては、運転積算時間を設定したものとして説明する。
【００２４】
記憶手段２３の制御に関しては、操作手段６に所定の操作を加えることで、表示手段７に運転経過状態を表示させることを可能としており、かつ新たな運転経過状態を記憶手段２３に書き込むことを可能としている。
【００２５】
図３の本発明の実施の形態１における食器洗い機の操作手段および表示手段を示す図と、図４の食器洗い機の運転時のフローチャートと、図５の修理・点検時のデモ運転のフローチャートを用いて、制御手段２１の構成と動作、作用を説明する。
【００２６】
まず、使用者による通常の使用状態での動作、作用について、図３および図４を用いて説明する。
【００２７】
使用者が操作手段６の電源切／入スイッチを押す。続いて、一時停止／スタートスイッチを押すことにより、運転が開始される（ステップＳ１０）。制御手段２１は記憶手段２３にあらかじめ記憶している運転動作を開始して良いかの運転フラグｎがｎ＝１であるかどうかを判定する（ステップＳ１１）。工場出荷時に出荷のための検査を行い、正常であれば運転フラグｎ＝１が記憶手段２３に書き込まれている。運転フラグｎ＝０である場合、運転積算時間が所定時間以下かどうか判定する（ステップＳ１２）。
【００２８】
運転積算時間が所定時間以内であれば、異常であると判断し、表示手段７により、異常であることを表示するとともに、運転できないようにしている（ステップＳ１３）。たとえば、修理により制御装置２４の交換がなされた場合、工場出荷時の検査は行われないので、運転フラグｎは初期値０のままである。かつ、交換直後なので、その運転積算時間は所定時間以内である。所定値は、長期使用により修理・点検作業者による点検が必要となる運転積算時間が設定される。たとえば、１０年使用相当の時間（７０００時間）に設定される。修理などにより制御装置２４を交換する場合は、後述する図５の修理や点検時のデモ運転のフローチャートに示す方法により、運転フラグをｎ＝１またはｎ＝０にすることが必要になる。
【００２９】
食器洗い機の運転積算時間が所定時間を超えている場合は、正常であると判断し、洗い・すすぎ・乾燥の各工程を運転する（ステップＳ１４）。運転終了後、運転積算時間に今回の運転時間を追加して記憶手段２３に記憶する（ステップＳ１５）。その後、動作を終了する（ステップＳ１６）。
【００３０】
次に、ステップＳ１１で運転フラグがｎ＝１の場合、運転積算時間が所定時間を超えているかどうか判断する（ステップＳ１７）。所定時間を超えている場合は、長期使用による点検が必要であることを使用者に警告、表示するために、表示手段７の点検ランプを点灯させる（ステップＳ１８）。次に、洗い・すすぎ・乾燥の各工程を運転し（ステップＳ１９）、運転積算時間に今回の運転時間を追加して記憶手段２３に記憶する（ステップＳ１５）。その後、動作を終了する（ステップＳ１６）。
【００３１】
よって、工場出荷時の状態（運転フラグがｎ＝１）で、運転積算時間が所定値を超えている場合は、常に点検ランプが表示され、使用者に警告、表示し続けることになる。使用者は点検表示に気づき、修理・点検作業者に点検を依頼し、点検が完了すると、修理・点検作業者が運転フラグをｎ＝０にすることで、以降の点検ランプは表示されなくなる。
【００３２】
次に、工場出荷時の工程デモによる運転フラグｎ＝１の設定、および長期使用により、点検ランプが点灯し、修理・点検作業者が点検作業を行う作業による運転フラグｎ＝０の設定についての内容を、図３および図５を用いて説明する。
【００３３】
修理・点検作業者は操作手段６によって所定の操作を行って、デモ運転を開始する（ステップＳ５０）。たとえば、操作手段６のコーススイッチと一時停止／スタートスイッチを同時に押しながら電源切／入スイッチを押し、さらにコーススイッチを数回押すことでデモ運転が開始される。専用スイッチを設けても良いが、コストアップにつながるため、通常運転で使用しているスイッチを使って、使用者が容易にできない方法が選ばれる。表示手段７の表示ランプを使って運転フラグの状態を表示する（ステップＳ５１）。たとえば、運転フラグｎ＝１ならば、表示手段７の強力ランプを点灯させ、ｎ＝０ならば消灯させるという具合である。これにより、修理・点検作業者は運転フラグを目で容易に確認できる。
【００３４】
次に、運転積算時間を表示手段７により表示する（ステップＳ５２）。たとえば、表示方法として運転積算時間が１０００時間以上の場合、乾燥ランプを点灯し、２０００時間以上の場合、予約のランプを点灯し、４０００時間以上の場合は、標準のランプを点灯し、８０００時間以上の場合は、少量のランプを点灯するようにすれば、４つの表示ランプの点灯消灯の組み合わせにより運転積算時間を表示することができる。（少量と乾燥のランプが点灯、他は消灯の場合の運転積算時間は、９０００時間以上１００００時間未満である。）表示ランプの数を増やせば運転積算時間を細かく表示することも可能である。
【００３５】
次に、先に表示された運転フラグの判断をし、ｎ＝０なら、記憶手段２３であるメモリの書き込みモードかどうかを判定する（ステップＳ５３、Ｓ５４）。このデモ運転は、工場出荷時の工程デモや通常使用における修理・点検作業者による点検の他に、通常の故障時の修理において、制御装置２４が交換されるときにも使用される。食器洗い機を数年使った後、故障により制御装置２４を交換する場合、点検表示を行うために運転積算時間を旧品の制御装置２４の記憶手段２３（メモリ）から読み込み、新品の制御装置２４の記憶手段２３（メモリ）に書き込み、データを引き継ぐ必要がある。そこで、このデモ運転を行えば、修理・点検作業者は容易にかつ、１つの作業で運転積算時間を読み出して表示し、書き込むことができる。よって、間違いもなくなる。メモリの書き込みモードではなく運転積算時間表示のみの場合は、以上によりデモ運転が終了される（ステップＳ５５）。
【００３６】
次に、修理のため制御装置２４を交換し、運転積算時間を書き込むときは、ステップＳ５４において、操作手段６によって所定の操作を行って記憶手段２３（メモリ）の書き込みモードにする。たとえば、デモ運転中に一時停止／スタートスイッチを１回押すことにより、メモリ書き込みモードに変えることができる。
【００３７】
次に、運転積算時間の入力が操作手段６の所定の操作により行われる（ステップＳ５６）。たとえば、コーススイッチを押すごとに運転積算時間を１０００→２０００→３０００→・・・・→８０００（時間）と変化させる。入力された運転積算時間は表示手段７により上記運転積算時間の表示方法と同様に表示される（ステップＳ５７）。書き込まれた運転積算時間が正しければ、操作手段６の所定の操作、たとえば一時停止／スタートスイッチを１回押すことにより、メモリの書き込みが完了になる（ステップＳ５８）。
【００３８】
次に書き込まれた運転積算時間が所定値以下かを判断する（ステップＳ５９）。所定値以下の場合は、運転フラグｎ＝１に設定する（ステップＳ６０）。これは、修理のため新しい制御装置２４を使用すると、そのままでは運転フラグｎが０になっているためである。運転積算時間が所定値以下ということは、工場出荷時の運転積算時間がほぼ０というのと同条件であり、制御装置２４の交換後の使用において、使用者に点検報知をする必要があることから、工場出荷時と同様に運転フラグｎ＝１に設定する。これによって、運転積算時間が所定値以下で修理を行っても、長期使用による点検表示を約１０年で点検ランプを点灯させることができる。
【００３９】
なお、工場出荷時の運転フラグｎ＝１の設定は、他の手段によって無条件に設定することも可能であるが、上記デモ運転の中のステップＳ６０として行うことも可能である。
【００４０】
次に、前述した修理時に書き込まれた運転積算時間が所定値を超えている場合は、既に、一度点検修理が終了している場合であって、ステップＳ５９の判断により、運転フラグｎ＝０のままでデモ運転を終了する。これは、一度点検修理終了したものは、運転積算時間が所定値を超えていても、再度の点検ランプを表示させないためである。
【００４１】
次に、点検時について説明する。点検者がデモ運転により運転フラッグｎを確認した場合、通常はステップＳ５３の判定におけるｎ＝１の場合である。点検報知により点検する場合は、運転積算時間は所定値を超えているのでステップＳ６２の判定により、運転フラッグｎ＝０に設定し（ステップＳ６３）、メモリに書き込みデモ運転を終了する（ステップＳ６４、Ｓ５５）。これは、一度点検修理終了したものは、運転積算時間が所定値以上であっても、再度の点検ランプを表示させないためである。
【００４２】
従来の食器洗い機においては点検時に記憶手段２３のメモリをクリアして運転積算時間を０に戻していたが、この場合、点検が完了してもさらに約１０年経過すると点検ランプが点灯することになり、使用者に対して誤解を招くことになる。通常、２０年経過すると、補修交換部品もなく、使用者に修理や点検ができるという誤ったメッセージを送るという不具合が生じる。
【００４３】
本発明では、運転積算時間はそのままにしておき、ステップＳ６３の運転フラッグをｎ＝０に設定することで再度点検ランプが点灯しないようにすることができる。なお、点検時に運転積算時間が所定値未満の場合は、以降に点検報知をする必要があるので、ステップＳ６２の判定により、運転フラグｎをｎ＝１のまま変更せずに終了する。
【００４４】
なお、本実施の形態では、運転フラグｎは０と１との２値を取り得るものとしたが、２値以上を取り得るようにして２つ以上の状態を分別できるようにしてもよい。例えば、３値を取り得るようにして、運転積算時間が第１の所定値を超えたか否かと、さらに第２の所定値も超えたか否かによって、３つの状態を分別できるようにすることも可能で、よりきめ細かい点検修理対応を可能とすることもできる。
【００４５】
以上により、故障による修理時の制御装置２４の交換、長期使用時の点検時の点検ランプ非表示の操作、さらには、食器洗い機の工場出荷時の運転フラグの書き込みのすべてをデモ運転という簡単な方法で行うことができ、故障・点検作業者は間違って操作することも、複数の方法、手段を行うこともなく容易にできる。
【００４６】
また、１度、点検ランプが点灯し、修理・点検作業者が点検を完了させると、以降再度点検ランプを点灯しないようにすることができるので、使用者に誤解を与えることもない。かつ、点検が終了しても、運転積算時間のデータがリセットされることなく、データの保存が実現できるものである。
【００４７】
また、記憶手段２３に記憶される運転の経過状態に係る情報として、所定値以上の運転が経過したか否かに対応させて、０または１の２値を選択的に設定可能とした運転フラグｎを持たせたことにより、運転積算時間等の実データと合わせてディジタル的な運転フラグｎで運転の経過状態を判断させることで、制御装置２４を単純かつ安価に構成でき、確実かつ安定な制御動作を行わせることができる。
【００４８】
また、使用者による通常運転時において、所定値以上の運転が経過した場合、運転フラグｎの値に応じて、表示手段７による点検の表示、非表示を異ならしめる構成としたことにより、修理・点検作業者によって行われる点検終了以降、食器洗い機を使用し続けても、使用者へ余計な誤解を与えないようにすることができる。
【００４９】
また、修理・点検作業者による点検修理時において、運転フラグｎの値に基づいて、所定値以上の運転が経過しているか否かを修理・点検作業者に知らしめることができるので、修理・点検作業者による点検修理に伴う運転フラグの設定等の作業を間違いなく確実に行わせることができる。
【００５０】
さらに、記憶手段２３が点検修理時において交換された場合（本実施の形態では記憶手段２３を搭載した制御装置２４全体が交換されるとして説明）、元の記憶手段に記憶された運転の経過状態に係る情報を新たな記憶手段に書き込んで引き継ぐとともに、その運転の経過状態に係る情報に応じて、運転フラグｎの値を変更することにより、点検修理において記憶手段２３が交換された場合でも、それまでの運転の経過状態に応じた適切な運転の経過情報の設定を行うことができる。
【００５１】
なお、本実施の形態では運転積算時間を記憶手段２３に記憶させていたが、運転回数または制御装置２４への通電時間でも同様の効果が得られる。
【００５２】
また、表示手段７は複数の表示ランプにより構成していたが、７セグメント数字表示ランプであれば、より詳細に運転積算時間を表示することができる。
【００５３】
また、操作手段６の所定の操作により、デモ運転を行ったが、デモ運転を行う専用のスイッチを制御装置２４に設けてもかまわない。
【００５４】
また、制御装置２４の交換に伴う運転フラグの書き換え設定および運転積算時間の引き継ぎ書き込みを操作手段６の所定の操作によって行っているが、専用のスイッチを制御装置２４に設けてもよいし、外部接続したメモリライター等の機器から行ってもよい。
【産業上の利用可能性】
【００５５】
以上のように、本発明にかかる食器洗い機は、食器洗い機への指示を入力するための操作手段と、前記操作手段により入力された制御情報に基づいて食器洗い機の運転制御を行う制御手段と、食器洗い機の運転状況を表示する表示手段と、運転の経過状態に係る情報を記憶するとともに情報を読み出し及び書き込み可能な記憶手段とを備え、前記制御手段は、前記記憶手段に記憶された運転の経過状態に係る情報から、所定値以上の運転が経過していると判断したとき、前記表示手段により食器洗い機の点検を知らせる食器洗い機において、点検時に、前記記憶手段に記憶された運転の経過状態に係る情報を書き換えることで、運転経過情報を残したままで、運転の経過状態にかかわらず、再度、点検の表示を行わないようにしたことで、修理・点検作業者によって行われる点検時に、以降の食器洗い機の運転時間や運転回数によらず、点検表示を行わないようにできるので、使用者への誤解や交換部品がないことによる不満が生じないようにすることができ、汚れた食器等の被洗浄物を洗剤を含む洗浄水を用いて洗浄する食器洗い機等として有用である。
【符号の説明】
【００５６】
６  操作手段
７  表示手段
２１  制御手段
２２  負荷駆動手段
２３  記憶手段（メモリ）
２４  制御装置
【図１】
2014111214.tif 000003
【図２】
2014111214.tif 000004
【図３】
2014111214.tif 000005
【図４】
2014111214.tif 000006
【図５】
2014111214.tif 000007